(57)【要約】シグナリング指示及び受信方法、装置及び通信システムを提供する。該方法は、ネットワーク装置が端末装置に構成情報を送信するステップを含み、該構成情報は、基準信号リソースセットにおける基準信号リソースを用いて複数の時間間隔で基準信号を送信するための時間領域位置情報を含む。これによって、同一のトリガー状態において同一のキャリア周波数についてトリガーされた基準信号リソースが複数の時間間隔を占有する場合であっても、ネットワーク装置はトリガーシグナリングを用いて情報報告を正確に指示することができ、端末装置はトリガーシグナリングを正しく解釈することができる。【選択図】図２
2021507573.tif 000002
【特許請求の範囲】
【請求項１】
シグナリング指示装置であって、
端末装置に構成情報を送信する構成送信部であって、前記構成情報は、基準信号リソースセットにおける基準信号リソースを用いて複数の時間間隔で基準信号を送信するための時間領域位置情報を含む、構成送信部と、
前記端末装置にトリガーシグナリングを送信するシグナリング送信部であって、前記トリガーシグナリングは、前記基準信号リソースを用いて前記複数の時間間隔で前記基準信号を送信するように指示し、前記端末装置がチャネル状態情報を報告するように指示するために用いられる、シグナリング送信部と、を含む、装置。
【請求項２】
前記時間領域位置情報は、少なくとも、前記基準信号リソースセットにおける基準信号リソースを用いて前記基準信号を送信するための時間間隔の、前記トリガーシグナリングの所在する時間間隔に対する時間軸におけるオフセットを含み、
前記オフセットは、前記複数の時間間隔のうちの１番目の時間間隔の時間領域位置を示すために用いられる、請求項１に記載の装置。
【請求項３】
前記基準信号リソースは、非周期的なチャネル状態情報基準信号リソースであり、前記基準信号は、非周期的なチャネル状態情報基準信号であり、前記時間間隔は、スロット、フレーム及びサブフレームの少なくとも１つを含み、
前記構成情報は、１つ又は複数の無線リソース制御メッセージにより搬送される、請求項１に記載の装置。
【請求項４】
前記構成情報は、第１フィールドを含み、前記第１フィールドは、前記基準信号を送信するための前記基準信号リソースセットにおける基準信号リソースの前記複数の時間間隔における時間領域位置を示す、請求項２に記載の装置。
【請求項５】
前記第１フィールドは、Ｎ個のパラメータを含み、前記Ｎ個のパラメータのうちの１つのパラメータは、前記複数の時間間隔のうちの１つの時間間隔に対応し、Ｎは前記複数の時間間隔の数である、請求項４に記載の装置。
【請求項６】
前記Ｎ個のパラメータのうちの１つのパラメータは、前記１つの時間間隔において用いられる前記基準信号リソースの数を示すために用いられる、請求項５に記載の装置。
【請求項７】
前記Ｎ個のパラメータのうちの１つのパラメータは、前記１つの時間間隔において用いられる１番目の基準信号リソースの前記基準信号リソースセットにおけるインデックスを示すために用いられる、請求項５に記載の装置。
【請求項８】
前記構成情報は、第２フィールドをさらに含み、前記第２フィールドは、前記基準信号リソースセットを構成するために用いられ、前記インデックスは、前記１番目の基準信号リソースの前記第２フィールドにおける構成順序により決定される、請求項７に記載の装置。
【請求項９】
前記第１フィールドは、パラメータＭを含み、前記パラメータＭは、前記オフセットにより示される時間間隔から始まる連続的なＭ個の時間間隔において前記基準信号リソースセットにおける１つ又は複数の基準信号リソースが前記基準信号を送信するために用いられることを表す、請求項４に記載の装置。
【請求項１０】
前記構成情報は、前記基準信号を送信するための時間間隔を示すビットマップを含み、
前記ビットマップは、Ｓ個のビットを含み、前記Ｓ個のビットは、前記トリガーシグナリングの所在する時間間隔から始まる連続的なＳ個の時間間隔に対応し、前記Ｓ個のビットのうちのビットは、対応する時間間隔において前記基準信号リソースセットにおける１つ又は複数の基準信号リソースを用いて前記基準信号を送信し、或いは送信しないことを示すために用いられる、請求項１に記載の装置。
【請求項１１】
前記端末装置からのチャネル状態情報を受信する情報受信部と、
前記チャネル状態情報に基づいて、前記端末装置により報告された基準信号リソースインジケータ又はビームインジケータを決定するインジケータ決定部と、をさらに含む、請求項１に記載の装置。
【請求項１２】
前記基準信号リソースインジケータは、基準信号リソースを示すために用いられ、前記基準信号リソースインジケータは、前記基準信号リソースのインデックスであり、
前記基準信号リソースのインデックスは、前記基準信号リソースの所在する基準信号リソースセットにおけるインデックスであり、或いは、前記基準信号リソースの前記基準信号の所在するリソースにおけるインデックスである、請求項１１に記載の装置。
【請求項１３】
前記基準信号リソースのインデックスは、
【数１】
2021507573.tif 000016
により計算され、
ｋは前記基準信号リソースの前記基準信号リソースセットにおけるインデックスを表し、Ｋは前記基準信号リソースセットに含まれる基準信号リソースの数を表し、ｐ＝［Ｉｓｌｏｔ−（ｌ＋Ｘ）］となり、Ｉｓｌｏｔは前記基準信号リソースの所在する時間間隔のインデックスを表し、Ｘは前記オフセットを表し、ｌは前記トリガーシグナリングの所在する時間間隔のインデックスを表し、或いは、
ｐは前記端末装置により報告される必要のある前記基準信号リソースがビットマップで１に設定されたｐ＋１番目のビットに対応する時間間隔において用いられることを表し、或いは、ｐは前記端末装置により報告される必要のある前記基準信号リソースがビットマップで０に設定されたｐ＋１番目のビットに対応する時間間隔において用いられることを表す、請求項１２に記載の装置。
【請求項１４】
シグナリング指示装置であって、
端末装置に複数の基準信号リソースセットの構成情報を送信する構成送信部であって、前記構成情報は、前記複数の基準信号リソースセットにおける基準信号リソースを用いて複数の時間間隔で基準信号を送信するための時間領域位置情報を含む、構成送信部と、
前記端末装置にトリガーシグナリングを送信するシグナリング送信部であって、前記トリガーシグナリングは、前記複数の基準信号リソースセットにおける基準信号リソースを用いて前記複数の時間間隔で前記基準信号を送信するように指示し、前記端末装置がチャネル状態情報を報告するように指示するために用いられる、シグナリング送信部と、を含む、装置。
【請求項１５】
前記時間領域位置情報は、少なくとも、前記基準信号リソースセットにおける基準信号リソースを用いて前記基準信号を送信するための時間間隔の、前記トリガーシグナリングの所在する時間間隔に対する時間軸におけるオフセットを含み、
前記複数の基準信号リソースセットのオフセットは異なる、請求項１４に記載の装置。
【請求項１６】
前記基準信号リソースは、非周期的なチャネル状態情報基準信号リソースであり、前記基準信号は、非周期的なチャネル状態情報基準信号であり、前記時間間隔は、スロット、フレーム及びサブフレームの少なくとも１つを含む、請求項１４に記載の装置。
【請求項１７】
前記端末装置からのチャネル状態情報を受信する情報受信部と、
前記チャネル状態情報に基づいて、前記端末装置により報告された基準信号リソースインジケータ又はビームインジケータを決定するインジケータ決定部と、をさらに含む、請求項１４に記載の装置。
【請求項１８】
前記基準信号リソースインジケータは、基準信号リソースを示すために用いられ、前記基準信号リソースインジケータは、前記基準信号リソースのインデックスであり、
前記基準信号リソースのインデックスは、前記基準信号リソースの所在する基準信号リソースセットにおけるインデックスであり、或いは、前記基準信号リソースの前記基準信号の所在するリソースにおけるインデックスである、請求項１７に記載の装置。
【請求項１９】
前記基準信号リソースのインデックスは、
【数２】
2021507573.tif 000017
により計算され、
ｋｓは前記複数の基準信号リソースセットのうちの基準信号リソースセットｓに構成された前記基準信号リソースのインデックスを表し、
（外１）
2021507573.tif 000018
となり、Ｋｉは前記複数の基準信号リソースセットのうちの基準信号リソースセットｉに含まれる前記基準信号リソースの数を表す、請求項１８に記載の装置。
【請求項２０】
ネットワーク装置を含む通信システムであって、
前記ネットワーク装置は、請求項１又は１４に記載のシグナリング指示装置を含む、通信システム。
【発明の詳細な説明】
【技術分野】
【０００１】
本発明の実施例は、通信技術分野に関し、特にシグナリング指示及び受信方法、装置及び通信システムに関する。
【背景技術】
【０００２】
新しい無線（ＮＲ：Ｎｅｗ  Ｒａｄｉｏ）の規格では、非周期的なチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソースが非周期的なチャネル状態情報（ＣＳＩ）の報告のために用いられる場合、ネットワーク装置は、上位層構成パラメータＡｐｅｒｉｏｄｉｃＮＺＰ−ＣＳＩ−ＲＳ−ＴｒｉｇｇｅｒｉｎｇＯｆｆｓｅｔを介してＣＳＩ−ＲＳリソースセットのために時間オフセットＸを構成する。この時間オフセットＸは、非周期的なＣＳＩ−ＲＳリソースセットのトリガーシグナリングを送信する時間と、該非周期的なＣＳＩ−ＲＳリソースセットにおけるＣＳＩ−ＲＳリソースを用いてＣＳＩ−ＲＳを送信する時間との時間間隔として定義される。該時間間隔は、スロット（ｓｌｏｔ）を単位としてもよい。
【０００３】
ＮＲによりサポートされるＣＳＩ−ＲＳセットに含まれるＣＳＩ−ＲＳリソースの数は最大で６４個である。また、この規格では、該トリガーシグナリングの各トリガー状態は、同一のＣＳＩリソース構成（ＣＳＩ−ＲｅｓｏｕｒｃｅＣｏｎｆｉｇ）における１つのリソースセットのみをトリガーできる。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
しかし、本発明の発明者の発見により、非周期的なＣＳＩ−ＲＳリソースを用いてビーム走査を行う際に、非周期的なリソースセットに含まれるＣＳＩ−ＲＳリソースの数が多い場合、１つのスロットに含まれる直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）符号において送信を完了させることができない。或いは、ＣＳＩ−ＲＳリソースの数は端末装置が１つのスロットでビームを切り替えることができる回数の上限を超えており、同一のトリガー状態において同一のキャリア周波数についてトリガーされた非周期的なＣＳＩ−ＲＳリソースが複数のスロットを占有することをサポートできるか否かについては検討する必要がある。このメカニズムがサポートされている場合、時間オフセットＸの解釈方法及び該メカニズムについての指示方法の問題を解決する必要がある。
【０００６】
本発明の実施例は、同一のトリガー状態において同一のキャリア周波数についてトリガーされた基準信号リソースが複数の時間間隔を占有する場合であっても、ネットワーク装置がトリガーシグナリングを用いて情報報告を正確に指示することができ、端末装置がトリガーシグナリングを正しく解釈することができる、シグナリング指示及び受信方法、装置及び通信システムを提供する。
【課題を解決するための手段】
【０００７】
本発明の実施例の第１態様では、シグナリング指示方法であって、ネットワーク装置が端末装置に構成情報を送信するステップであって、前記構成情報は、基準信号リソースセットにおける基準信号リソースを用いて複数の時間間隔で基準信号を送信するための時間領域位置情報を含む、ステップと、前記ネットワーク装置が前記端末装置にトリガーシグナリングを送信するステップであって、前記トリガーシグナリングは、前記基準信号リソースを用いて前記複数の時間間隔で前記基準信号を送信するように指示し、前記端末装置がチャネル状態情報を報告するように指示するために用いられる、ステップと、を含む、方法を提供する。
【０００８】
本発明の実施例の第２態様では、シグナリング指示装置であって、端末装置に構成情報を送信する構成送信部であって、前記構成情報は、基準信号リソースセットにおける基準信号リソースを用いて複数の時間間隔で基準信号を送信するための時間領域位置情報を含む、構成送信部と、前記端末装置にトリガーシグナリングを送信するシグナリング送信部であって、前記トリガーシグナリングは、前記基準信号リソースを用いて前記複数の時間間隔で前記基準信号を送信するように指示し、前記端末装置がチャネル状態情報を報告するように指示するために用いられる、シグナリング送信部と、を含む、装置を提供する。
【０００９】
本発明の実施例の第３態様では、シグナリング指示方法であって、ネットワーク装置が端末装置に複数の基準信号リソースセットの構成情報を送信するステップであって、前記構成情報は、前記複数の基準信号リソースセットにおける基準信号リソースを用いて複数の時間間隔で基準信号を送信するための時間領域位置情報を含む、ステップと、前記ネットワーク装置が前記端末装置にトリガーシグナリングを送信するステップであって、前記トリガーシグナリングは、前記複数の基準信号リソースセットにおける基準信号リソースを用いて前記複数の時間間隔で前記基準信号を送信するように指示し、前記端末装置がチャネル状態情報を報告するように指示するために用いられる、ステップと、を含む、方法を提供する。
【００１０】
本発明の実施例の第４態様では、シグナリング指示装置であって、端末装置に複数の基準信号リソースセットの構成情報を送信する構成送信部であって、前記構成情報は、前記複数の基準信号リソースセットにおける基準信号リソースを用いて複数の時間間隔で基準信号を送信するための時間領域位置情報を含む、構成送信部と、前記端末装置にトリガーシグナリングを送信するシグナリング送信部であって、前記トリガーシグナリングは、前記複数の基準信号リソースセットにおける基準信号リソースを用いて前記複数の時間間隔で前記基準信号を送信するように指示し、前記端末装置がチャネル状態情報を報告するように指示するために用いられる、シグナリング送信部と、を含む、装置を提供する。
【００１１】
本発明の実施例の第５態様では、ネットワーク装置を含む通信システムであって、前記ネットワーク装置は、上記の第２態様又は第４態様に記載のシグナリング指示装置を含む、通信システムを提供する。
【００１２】
本発明の実施例の有利な効果は以下の通りである。ネットワーク装置が端末装置に構成情報を送信し、該構成情報は、基準信号リソースセットにおける基準信号リソースを用いて複数の時間間隔で基準信号を送信するための時間領域位置情報を含む。これによって、同一のトリガー状態において同一のキャリア周波数についてトリガーされた基準信号リソースが複数の時間間隔を占有する場合であっても、ネットワーク装置はトリガーシグナリングを用いて情報報告を正確に指示することができ、端末装置はトリガーシグナリングを正しく解釈することができる。
【００１３】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１４】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１５】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００１６】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例の通信システムの概略図である。
【図２】本発明の実施例１のシグナリング指示方法の概略図である。
【図３】本発明の実施例１の非周期的なＣＳＩ−ＲＳリソースの１つの例を示す図である。
【図４】本発明の実施例１のシグナリング指示及び受信方法の概略図である。
【図５】本発明の実施例１の非周期的なＣＳＩ−ＲＳリソースのもう１つの例を示す図である。
【図６】本発明の実施例２のシグナリング指示方法の概略図である。
【図７】本発明の実施例２のシグナリング指示及び受信方法の概略図である。
【図８】本発明の実施例２の非周期的なＣＳＩ−ＲＳリソースの１つの例を示す図である。
【図９】実施例３又は４のシグナリング指示装置の概略図である。
【図１０】実施例３又は４のシグナリング受信装置の概略図である。
【図１１】実施例５のネットワーク装置の概略図である。
【図１２】実施例５の端末装置の概略図である。
【発明を実施するための形態】
【００１７】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００１８】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００１９】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２０】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２１】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２２】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２３】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２４】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００２５】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００２６】
例えば、モノのインターネット（ＩｏＴ：Ｉｎｔｅｒｎｅｔ  ｏｆ  Ｔｈｉｎｇｓ）などのシナリオでは、端末装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００２７】
また、用語「ネットワーク側」又は「ネットワーク装置側」とは、ネットワークの側を意味し、基地局であってもよいし、上記の１つ又は複数のネットワーク装置を含んでもよい。用語「ユーザ側」又は「端末装置側」とは、ユーザ又は端末の側を意味し、ＵＥであってもよいし、上記の１つ又は複数の端末装置を含んでもよい。
【００２８】
以下は、一例を参照しながら本発明の実施例のシナリオを説明するが、本発明はこれに限定されない。
【００２９】
図１本発明の実施例の通信システムの概略図であり、端末装置及びネットワーク装置の例を概略的に示している。図１に示すように、通信システム１００は、ネットワーク装置１０１及び端末装置１０２を含んでもよい。説明の便宜上、図１は、１つのみの端末装置及び１つのみのネットワーク装置を一例にして説明するが、本発明の実施例はこれに限定されない。
【００３０】
本発明の実施例では、ネットワーク装置１０１と端末装置１０２との間では、既存のトラフィック又は将来に実装可能なトラフィックを行うことができる。例えば、これらのトラフィックは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでもよいが、これらに限定されない。
【００３１】
以下は、ＮＲシステムを一例にして本発明の実施例を説明する。なお、本発明はこれに限定されず、同様な問題のある任意のシステムに適用されてもよい。また、本発明の実施例は、非周期的なＣＳＩ−ＲＳを一例にして説明するが、本発明はこれに限定されず、例えば他の基準信号又は他のシナリオに適用されてもよい。
【００３２】
＜実施例１＞
本発明の実施例はシグナリング指示方法を提供する。
【００３３】
図２は、本発明の実施例のシグナリング指示方法の概略図であり、ネットワーク装置側の状況を示している。図２に示すように、シグナリング指示方法２００は以下のステップを含む。
【００３４】
ステップ２０１：ネットワーク装置は端末装置に構成情報を送信する。該構成情報は、基準信号リソースセットにおける基準信号リソースを用いて複数の時間間隔で基準信号を送信するための時間領域位置情報を含む。
【００３５】
ステップ２０２：ネットワーク装置は端末装置にトリガーシグナリングを送信する。該トリガーシグナリングは、該基準信号リソースを用いて該複数の時間間隔で該基準信号を送信するように指示し、該端末装置がチャネル状態情報を報告するように指示するために用いられる。
【００３６】
本実施例では、該基準信号リソースは、例えば非周期的なＣＳＩ−ＲＳリソースであり、該基準信号は、例えば非周期的なＣＳＩ−ＲＳであり、該時間間隔は、例えばスロット（ｓｌｏｔ）、フレーム（ｆｒａｍｅ）及びサブフレーム（ｓｕｂ−ｆｒａｍｅ）などの少なくとも１つを含んでもよい。該時間領域位置情報は、１つ又は複数の無線リソース制御（ＲＲＣ）メッセージにより搬送されてもよい。該トリガーシグナリングは、例えば物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）におけるダウンリンク制御情報（ＤＣＩ：Ｄｏｗｎｌｉｎｋ  Ｉｎｆｏｒｍａｔｉｏｎ）である。なお、本発明はこれに限定されず、以下は、非周期的なＣＳＩ−ＲＳ及びスロットを一例にして説明する。
【００３７】
１つの態様では、該時間領域位置情報は、少なくとも、該基準信号リソースセットにおける基準信号リソースを用いて該基準信号を送信するための時間間隔の、該トリガーシグナリングの所在する時間間隔に対する時間軸（ｔｉｍｅｌｉｎｅ）におけるオフセットを含む。該オフセットは、該複数の時間間隔のうちの１番目の時間間隔の時間領域位置を示すために用いられる。
【００３８】
１つの態様では、該構成情報は、第１フィールドを含んでもよく、該第１フィールドは、該基準信号を送信するための該基準信号リソースセットにおける基準信号リソースの該複数の時間間隔における時間領域位置を示す。
【００３９】
１つの態様では、該第１フィールドは、Ｎ個のパラメータを含み、該Ｎ個のパラメータのうちの１つのパラメータは、１つの時間間隔に対応し、ここで、Ｎは該複数の時間間隔の数である。例えば、該Ｎ個のパラメータのうちの１つのパラメータは、該１つの時間間隔において用いられる基準信号リソースの数を示すために用いられる。また、例えば、該Ｎ個のパラメータのうちの１つのパラメータは、該１つの時間間隔において用いられる１番目の基準信号リソースの該基準信号リソースセットにおけるインデックスを示すために用いられる。
【００４０】
例えば、該構成情報はＮ個の値を含んでもよく、ここで、Ｎは該時間間隔の数である。この態様では、１つの非周期的なＣＳＩ−ＲＳリソースセットにおける非周期的なＣＳＩ−ＲＳリソースがまたがることができるスロットの数の最大値Ｎをサポートする必要がある。
【００４１】
例えば、上位層構成パラメータＡｐｅｒｉｏｄｉｃＮＺＰ−ＣＳＩ−ＲＳ−ＴｒｉｇｇｅｒｉｎｇＯｆｆｓｅｔを介して各ＣＳＩ−ＲＳリソースセットのために時間オフセットＸを構成し、上位層構成パラメータ（例えばＲｅｓｏｕｒｃｅＤｉｓｔｒｉｂｕｔｉｏｎで表されてもよい）をさらに追加する。このパラメータは、非周期的なＣＳＩ−ＲＳリソースセットにおける非周期的なＣＳＩ−ＲＳリソースの各スロットにおける分布状況を表し、この時間オフセットＸは、非周期的なＣＳＩ−ＲＳリソースセットにおける１番目のＣＳＩ−ＲＳが出現するスロットと、該トリガーシグナリングを送信するためのスロットとのオフセットを表す。
【００４２】
例えば、非周期的なＣＳＩ−ＲＳリソースセットの呼び出しの柔軟性を確保するため、このパラメータは、リンク情報報告及び非周期的なＣＳＩ−ＲＳリソースセットの測定構成ＣＳＩ−ＭｅａｓＩｄＴｏＡｄｄＭｏｄに構成されてもよい。このパラメータは、Ｎ個の値｛ｎ１，ｎ２，…，ｎＮ｝を含んでもよく、各値ｎｉは、それにより指示されるｌ＋Ｘ＋ｉ番目のスロットで送信する必要のある非周期的なＣＳＩ−ＲＳリソースの数を表し、０≦ｎｉ＜Ｋ且つ
（外１）
2021507573.tif 000003
となり、ここで、ｌは非周期的なＣＳＩ−ＲＳリソースセットのトリガーシグナリングを送信するためのスロットの番号を表し、Ｋは該非周期的なＣＳＩ−ＲＳリソースセットに含まれる非周期的なＣＳＩ−ＲＳリソースの数を表す。
【００４３】
１つの態様では、該構成情報は、第２フィールドをさらに含んでもよく、該第２フィールドは、該基準信号リソースセットを構成するために用いられ、該インデックスは、該基準信号リソース該第２フィールドにおける構成順序により決定される。
【００４４】
例えば、各値ｎｉは、それにより指示されるｌ＋Ｘ＋ｉ番目のスロットで送信される１番目の非周期的なＣＳＩ−ＲＳリソースの非周期的なＣＳＩ−ＲＳリソースセットにおけるインデックス値を表す（即ち、該スロットにおいてリソースセット内に構成された何番目のリソースから送信するか）。ここで、該インデックス値は、非周期的なＣＳＩ−ＲＳリソースの非周期的なＣＳＩ−ＲＳリソースセットにおける構成の順序により決定され、即ち、非周期的なＣＳＩ−ＲＳリソースの出現順序はＣＳＩ−ＲＳリソースの非周期的なＣＳＩ−ＲＳリソースセットにおける構成順序と同じである。
【００４５】
図３は本発明の実施例の非周期的なＣＳＩ−ＲＳリソースの１つの例を示す図である。図３に示すように、例えば非周期的なＣＳＩ−ＲＳリソースセットｓはＫ＝１０個の非周期的なＣＳＩ−ＲＳリソースを含む。該ＲｅｓｏｕｒｃｅＤｉｓｔｒｉｂｕｔｉｏｎパラメータは、｛４，４，２｝に構成されてもよく、連続的な３つのスロットに４、４、２個のリソースがそれぞれ含まれることを表す。或いは、ＲｅｓｏｕｒｃｅＤｉｓｔｒｉｂｕｔｉｏｎパラメータは、｛１，５，９｝に構成されてもよく、連続的なスロットが該リソースセットにおける１、５、９番目のリソースからＣＳＩ−ＲＳの送信を開始することを表す。
【００４６】
よって、非周期的なＣＳＩ−ＲＳリソースセットｓがＣＳＩ−ＲＳを送信するようにトリガーするためのトリガーシグナリングがスロットｌで送信された後に、非周期的なＣＳＩ−ＲＳリソースセットｓに構成された１番目から４番目の非周期的なＣＳＩ−ＲＳリソースは、ｌ＋Ｘ番目のスロットでＣＳＩ−ＲＳを送信するために用いられ、非周期的なＣＳＩ−ＲＳリソースセットｓに構成された５番目から８番目の非周期的なＣＳＩ−ＲＳリソースは、ｌ＋Ｘ＋１番目のスロットでＣＳＩ−ＲＳを送信するために用いられ、非周期的なＣＳＩ−ＲＳリソースセットｓに構成された９番目及び１０番目の非周期的なＣＳＩ−ＲＳリソースは、ｌ＋Ｘ＋２番目のスロットでＣＳＩ−ＲＳを送信するために用いられる。
【００４７】
なお、以上は本発明を例示的に説明しているが、本発明はこれに限定されない。また、ここで、同一の非周期的なＣＳＩ−ＲＳリソース（例えば一意のリソースＩＤ番号を持つ）の非周期的なＣＳＩ−ＲＳリソースセットの構成時の出現回数に制限されない。例えば、例示的な図３では、構成された１番目の非周期的なＣＳＩ−ＲＳリソースと５、９番目の非周期的なＣＳＩ−ＲＳリソースとが同一のリソースＩＤのリソースであり、この態様では、リソースＩＤ番号に制限されることなく、非周期的なＣＳＩ−ＲＳリソースの非周期的なＣＳＩ−ＲＳリソースセットに構成されている前後順序にのみ基づいて、各スロットでの送信順序を割り当てる。
【００４８】
もう１つの態様では、該第１フィールドは、パラメータＭを含み、該パラメータＭは、該オフセットにより示される時間間隔から始まる連続的なＭ個の時間間隔において該基準信号リソースセットにおける１つ又は複数の基準信号リソースが該基準信号を送信するために用いられることを表す。
【００４９】
例えば、上位層構成パラメータＡｐｅｒｉｏｄｉｃＮＺＰ−ＣＳＩ−ＲＳ−ＴｒｉｇｇｅｒｉｎｇＯｆｆｓｅｔを介して各ＣＳＩ−ＲＳリソースセットのために時間オフセットＸを構成し、上位層構成パラメータ（例えばＳｌｏｔＲｅｐｅｔｉｔｉｏｎと表されてもよい）をさらに追加する。該パラメータは、該非周期的なＣＳＩ−ＲＳリソースセットにおける全ての非周期的なＣＳＩ−ＲＳリソースが複数のスロットで繰り返し出現する状況を示す。
【００５０】
例えば、該構成パラメータは、パラメータＭであってもよく、該非周期的なＣＳＩ−ＲＳリソースセットにおける全ての非周期的なＣＳＩ−ＲＳリソースがｌ＋Ｘ番目のスロットから始まる連続的なＭ個のスロットに出現することを表す。
【００５１】
図４は本発明の実施例のシグナリング指示及び受信方法の１つの概略図であり、端末装置側及びネットワーク装置側の状況を示している。図４に示すように、シグナリング指示及び受信方法４００は、以下のステップを含む。
【００５２】
ステップ４０１：ネットワーク装置は端末装置に基準信号リソースセットの時間オフセット情報を送信する。
【００５３】
ステップ４０２：ネットワーク装置は端末装置に該基準信号リソースセットにおける基準信号リソースの複数の時間間隔における構成情報を送信する。
【００５４】
ステップ４０３：ネットワーク装置は端末装置に、該基準信号リソースを用いて該複数の時間間隔で基準信号を送信するように指示するためのトリガーシグナリングを送信する。
【００５５】
例えば、該時間オフセット情報及び該構成情報は、１つ又は複数のＲＲＣメッセージで搬送されてもよい。例えば、１つのメッセージを介してＡｐｅｒｉｏｄｉｃＮＺＰ−ＣＳＩ−ＲＳ−ＴｒｉｇｇｅｒｉｎｇＯｆｆｓｅｔ及びＲｅｓｏｕｒｃｅＤｉｓｔｒｉｂｕｔｉｏｎを送信し、或いはＡｐｅｒｉｏｄｉｃＮＺＰ−ＣＳＩ−ＲＳ−ＴｒｉｇｇｅｒｉｎｇＯｆｆｓｅｔ及びＳｌｏｔＲｅｐｅｔｉｔｉｏｎを送信し、即ちステップ４０１とステップ４０２を併合してもよい。或いは、複数のメッセージを介してＡｐｅｒｉｏｄｉｃＮＺＰ−ＣＳＩ−ＲＳ−ＴｒｉｇｇｅｒｉｎｇＯｆｆｓｅｔ及びＲｅｓｏｕｒｃｅＤｉｓｔｒｉｂｕｔｉｏｎを送信し、或いはＡｐｅｒｉｏｄｉｃＮＺＰ−ＣＳＩ−ＲＳ−ＴｒｉｇｇｅｒｉｎｇＯｆｆｓｅｔ及びＳｌｏｔＲｅｐｅｔｉｔｉｏｎを送信し、即ちステップ４０１とステップ４０２をそれぞれ実行してもよい。
【００５６】
図４に示すように、シグナリング指示方法４００は、以下のステップをさらに含んでもよい。
【００５７】
ステップ４０４：ネットワーク装置は該複数の時間間隔で該基準信号リソースを用いて該端末装置に基準信号を送信する。
【００５８】
ステップ４０５：端末装置は該基準信号を測定する。
【００５９】
ステップ４０６：端末装置は該ネットワーク装置にチャネル状態情報を報告する。
【００６０】
ステップ４０７：ネットワーク装置は該チャネル状態情報に基づいて、該端末装置により報告された基準信号リソースインジケータ又はビームインジケータを決定する。
【００６１】
なお、以上は図４を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図４の記載に限定されない。
【００６２】
本実施例では、該基準信号リソースインジケータは、基準信号リソース（例えばＵＥにとって好ましいもの）を示すために用いられる。該基準信号リソースインジケータは、前記基準信号リソースのインデックスであってもよい。該基準信号リソースのインデックスは、該基準信号リソースの所在する基準信号リソースセットにおけるインデックスであってもよいし、該基準信号リソースの該基準信号の所在するリソースにおけるインデックスであってもよい。
【００６３】
例えば、ＣＳＩ−ＲＳを受信したＵＥがＣＳＩ−ＲＳリソースインジケータ（ＣＲＩ：ＣＳＩ−ＲＳ  Ｒｅｓｏｕｒｃｅ  Ｉｎｄｉｃａｔｏｒ）を報告する必要がある場合、ビーム管理では、基地局は各非周期的なＣＳＩ−ＲＳを異なるビームを介して送信し、ＵＥは１つ又は複数の測定された良いＣＳＩ−ＲＳを選択し、ビームを選択するように基地局にフィードバックする。この場合、同一の非周期的なリソースセットにおける非周期的なＣＳＩ−ＲＳは異なるスロットでＣＳＩ−ＲＳを繰り返し送信するために用いられる可能性があるため、混乱を引き起こさないように、基地局とＵＥはＣＲＩ計算方法を共有し、この場合のＣＲＩはビームＩＤ番号をある程度表す。
【００６４】
例えば、該基準信号リソースのインデックスは、以下の式に従って計算される。
【数１】
2021507573.tif 000004
【００６５】
ここで、ｋは該基準信号リソースの該基準信号リソースセットにおけるインデックスを表し、Ｋは該基準信号リソースセットに含まれる基準信号リソースの数を表す。この態様では、ｐ＝［Ｉｓｌｏｔ−（ｌ＋Ｘ）］となり、Ｉｓｌｏｔは該基準信号リソースの所在する時間間隔のインデックスを表し、Ｘは該オフセットを表し、ｌは該トリガーシグナリングの所在する時間間隔のインデックスを表し、
（外２）
2021507573.tif 000005
となる。
【００６６】
もう１つの態様では、該構成情報は、該基準信号を送信するための時間間隔を示すビットマップ（ｂｉｔｍａｐ）を含む。該ビットマップは、Ｓ個のビットを含み、該Ｓ個のビットは、該トリガーシグナリングの所在する時間間隔から始まる連続的なＳ個の時間間隔に対応し、該Ｓ個のビットのうちのビットは、対応する時間間隔において該基準信号リソースセットにおける１つ又は複数の基準信号リソースを用いて該基準信号を送信し、或いは送信しないことを示すために用いられる。
【００６７】
例えば、ビットマップの形式で上位層構成パラメータＡｐｅｒｉｏｄｉｃＮＺＰ−ＣＳＩ−ＲＳ−ＴｒｉｇｇｅｒｉｎｇＯｆｆｓｅｔを構成し、ｂｉｔｍａｐにおける各ビットは、トリガーシグナリングを送信するためのスロットから始まる連続的な複数のスロットを表し、ｂｉｔｍａｐの長さはスロットの数であり、該値は例えば予め定義された固定値である。
【００６８】
例えば、ｂｉｔｍａｐの「１」に設定されたビットは、該ビットで表されるスロットで該非周期的なリソースセットに含まれるＣＳＩ−ＲＳリソースを用いてＣＳＩ−ＲＳを送信することを表す。例えば、ｂｉｔｍａｐの１ビット目が「１」に設定された場合、非周期的なリソースセットにおけるＣＳＩ−ＲＳリソースがトリガーシグナリングの送信スロットｌ内でＣＳＩ−ＲＳを送信するために用いられ、即ちトリガーオフセットＸ＝０となることを意味する。ｂｉｔｍａｐのｎビット目が「１」に設定され、且つその前のｎ−１ビットが何れも「０」に設定された場合、非周期的なリソースセットにおけるＣＳＩ−ＲＳリソースがスロットｌ＋ｎ−１内でＣＳＩ−ＲＳを送信するために用いられ、即ちトリガーオフセットＸ＝ｎ−１となることを意味する。ｂｉｔｍａｐにおける複数のビットが「１」に設定された場合、ｂｉｔｍａｐにより指示されるスロット内で何れも非周期的なリソースセットにおけるリソースを用いてＣＳＩ−ＲＳを送信することを意味する。複数のビットが「１」に設定される表示方法は、ビーム管理で基地局側が測定する必要のあるビーム数がＵＥにより１つのスロットでビームを切り替えることができる回数の上限を超えた場合に適用されてもよい。
【００６９】
この態様では、時間オフセットＸは該ｂｉｔｍａｐにより指示されてもよく、即ち図４におけるステップ４０１を省略してもよい。また、端末装置とネットワーク装置は基準信号リソースにより指示される計算方法、例えば上記の式を共有する必要がある。この態様では、ｐは、ＵＥにより報告される必要のある該基準リソースがｂｉｔｍａｐで１に設定されたｐ＋１番目のビットにより表される時間間隔において用いられることを表す。
【００７０】
また、例えば、ｂｉｔｍａｐの「０」に設定されたビットは、該ビットにより表されるスロットで該非周期的なリソースセットに含まれるＣＳＩ−ＲＳリソースを用いてＣＳＩ−ＲＳを送信することを表す。この場合、ｐは、ＵＥにより報告される必要のある該基準リソースがｂｉｔｍａｐで０に設定されたｐ＋１番目のビットにより表される時間間隔において用いられることを表す。
【００７１】
図５は本発明の実施例の非周期的なＣＳＩ−ＲＳリソースのもう１つの例を示す図である。図５に示すように、例えば、時間オフセットＸ及びパラメータＭを指示する方法を用いてもよい。例えば、ＳｌｏｔＲｅｐｅｔｉｔｉｏｎは２に構成され、４個の非周期的なＣＳＩ−ＲＳリソースを含む非周期的なＣＳＩ−ＲＳリソースセットがスロットｌ＋Ｘから始まる連続的な２個のスロットで繰り返し用いられることを表す。
【００７２】
また、例えば、ｂｉｔｍａｐで指示する方法を用いてもよい。例えば、ＳｌｏｔＲｅｐｅｔｉｔｉｏｎは０…０１１０…０に構成されたｂｉｔｍａｐでは、ビットＸ＋１及びＸ＋２が「１」に設定された場合、非周期的なＣＳＩ−ＲＳリソースセットにおける４個の非周期的なＣＳＩ−ＲＳリソースがスロットｌ＋Ｘ及びスロットｌ＋Ｘ＋１で繰り返し用いられることを表す。
【００７３】
さらに、ＣＲＩをフィードバックする必要があり、例えばＵＥが２番目のスロットにおける３番目のリソースをフィードバックする必要がある場合、ここで、Ｋ＝４、ｋ＝３、Ｉｓｌｏｔ＝ｌ＋Ｘ＋１となり、式により算出されたフィードバックする必要のあるＣＲＩ値はＩｒｅｓｏｕｒｃｅ＝７となる。同様に、ＵＥは、上記の式から、どのスロットで何番目のリソースを送信することを逆に推定してもよい。
【００７４】
本実施例では、トリガーシグナリングによりトリガーされた複数の非周期的なＣＳＩ−ＲＳリソースが複数のスロットを跨って伝送を行う非周期的なリソース伝送メカニズムをサポートするために、構成情報を用いて構成を行ってもよい。該メカニズムによれば、ＵＥの受信能力が限られた場合にビーム管理を行うことができる。
【００７５】
本実施例では、時間オフセットＸに加えて、複数のＲＲＣパラメータを追加してもよく、ＣＲＩを報告する必要がある場合、計算する必要がなく、リソースのセットにおけるインデックスを直接利用してもよい。また、時間オフセットＸに加えて、１つのＲＲＣパラメータを追加してもよいし、ｂｉｔｍａｐにより該時間オフセット及びＲＲＣパラメータを指示してもよい。これによって、少ないリソースが構成されたリソースセットの繰り返し送信により、ＵＥの複数のリソースに対する測定及び報告を実現することができる。
【００７６】
本実施例によれば、ネットワーク装置が端末装置に構成情報を送信し、該構成情報は、基準信号リソースセットにおける基準信号リソースを用いて複数の時間間隔で基準信号を送信するための時間領域位置情報を含む。これによって、同一のトリガー状態において同一のキャリア周波数についてトリガーされた基準信号リソースが複数の時間間隔を占有する場合であっても、ネットワーク装置はトリガーシグナリングを用いて情報報告を正確に指示することができ、端末装置はトリガーシグナリングを正しく解釈することができる。
【００７７】
＜実施例２＞
本発明の実施例はシグナリング指示方法を提供し、実施例１と同様な内容についてその説明を省略する。
【００７８】
図６は本発明の実施例のシグナリング指示方法の概略図であり、ネットワーク装置側の状況を示している。図６に示すように、シグナリング指示方法６００は以下のステップを含む。
【００７９】
ステップ６０１：ネットワーク装置は端末装置に複数の基準信号リソースセットの構成情報を送信する。該構成情報は、該基準信号リソースセットにおける基準信号リソースを用いて複数の時間間隔で基準信号を送信するための時間領域位置情報を含む。
【００８０】
ステップ６０２：ネットワーク装置は該端末装置にトリガーシグナリングを送信する。該トリガーシグナリングは、該複数の基準信号リソースセットにおける基準信号リソースを用いて該複数の時間間隔で該基準信号を送信するように指示し、該端末装置がチャネル状態情報を報告するように指示するために用いられる。
【００８１】
本実施例では、該時間領域位置情報は、少なくとも、該基準信号リソースセットにおける基準信号リソースを用いて該基準信号を送信するための時間間隔の、該トリガーシグナリングの所在する時間間隔に対する時間軸におけるオフセットを含む。該複数の基準信号リソースセットのオフセットは異なる。
【００８２】
本実施例では、該基準信号リソースは、非周期的なＣＳＩ−ＲＳリソースであり、該基準信号は、例えば非周期的なＣＳＩ−ＲＳであり、該時間間隔は、例えばスロット、フレーム及びサブフレームの少なくとも１つを含む。しかし、本発明はこれに限定されないが、以下は非周期的なＣＳＩ−ＲＳリソース及びスロットを一例にして説明する。
【００８３】
本実施例では、トリガーシグナリングにより指示されるトリガー状態は同一のリソース構成内の複数の非周期的なＣＳＩ−ＲＳリソースセットに関連付けられてもよく、各非周期的なＣＳＩ−ＲＳリソースセットについて異なる時間オフセットＸをしている。トリガーシグナリングがトリガー状態を指示する場合、それに関連付けられた複数の非周期的なＣＳＩ−ＲＳリソースセットは同時にトリガーされる。該メカニズムを採用する場合、例えば１つのトリガー状態が同一のリソース構成内の複数の非周期的なＣＳＩ−ＲＳリソースセットを接続することがプロトコルにより規定される必要がある場合、ＵＥは、該リソース構成で同時にトリガーされた複数の非周期的なＣＳＩ−ＲＳリソースセットを共同で報告する必要がある。
【００８４】
図７は本発明の実施例のシグナリング指示及び受信方法の概略図であり、端末装置側及びネットワーク装置側の状況を示している。図７に示すように、シグナリング指示及び受信方法７００は、以下のステップを含む。
【００８５】
ステップ７０１：ネットワーク装置は端末装置に複数の基準信号リソースセットの時間オフセット情報を送信する。該複数の基準信号リソースセットのオフセットは異なる。
【００８６】
ステップ７０２：ネットワーク装置は該端末装置に、基準信号リソースを用いて複数の時間間隔で基準信号を送信するように指示するためのトリガーシグナリングを送信する。
【００８７】
図７に示しように、シグナリング指示方法７００は以下のステップをさらに含んでもよい。
【００８８】
ステップ７０３：ネットワーク装置は該複数の時間間隔で該基準信号リソースを用いて該端末装置に基準信号を送信する。
【００８９】
ステップ７０４：端末装置は基準信号を測定する。
【００９０】
ステップ７０５：端末装置は該ネットワーク装置にチャネル状態情報を報告する。
【００９１】
ステップ７０６：ネットワーク装置は該チャネル状態情報に基づいて、該端末装置により報告された基準信号リソースインジケータ又はビームインジケータを決定する。
【００９２】
なお、以上は図７を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図７の記載に限定されない。
【００９３】
本実施例では、該基準信号リソースインジケータは、基準信号リソースを示すために用いられる。該基準信号リソースインジケータは、該基準信号リソースのインデックスであってもよい。該基準信号リソースのインデックスは、該基準信号リソースの所在する基準信号リソースセットにおけるインデックスであってもよいし、該基準信号リソースの該基準信号の所在するリソースにおけるインデックスであってもよい。
【００９４】
例えば、該基準信号リソースのインデックスは、以下の式に従って計算されてもよい。
【数２】
2021507573.tif 000006
【００９５】
ここで、ｋｓは該複数の基準信号リソースセットのうちの基準信号リソースセットｓに構成された該基準信号リソースのインデックスを表し、
（外３）
2021507573.tif 000007
となり、Ｋｉは該複数の基準信号リソースセットのうちの基準信号リソースセットｉに含まれる該基準信号リソースの数を表す。
【００９６】
図８は本発明の実施例の非周期的なＣＳＩ−ＲＳリソースの１つの例を示す図である。図８に示すように、リソース構成における非周期的なＣＳＩ−ＲＳリソースセット１、２は同一のトリガー状態に関連付けられている。非周期的なＣＳＩ−ＲＳリソースセット１は４個の非周期的なＣＳＩ−ＲＳリソースを含み、且つ時間オフセットはＸ１である。非周期的なＣＳＩ−ＲＳリソースセット２は３個の非周期的なＣＳＩ−ＲＳリソースを含み、且つ時間オフセットはＸ２である。
【００９７】
例えば、該トリガー状態を指示するためのトリガーシグナリングがスロットｌで送信された後に、ＵＥは、ｌ＋Ｘ１番目のスロットで、非周期的なＣＳＩ−ＲＳリソースセット１におけるリソースを用いて送信されたＣＳＩ−ＲＳを受信し、ｌ＋Ｘ２番目のスロットで、非周期的なＣＳＩ−ＲＳリソースセット２におけるリソースを用いて送信されたＣＳＩ−ＲＳを受信する。
【００９８】
ＵＥがこの２つの非周期的なＣＳＩ−ＲＳリソースセットに対応するＣＳＩ−ＲＳを測定した後に、報告内容を形成して基地局に報告する。報告内容にＣＲＩが含まれる場合、２番目の非周期的なＣＳＩ−ＲＳリソースセットにおける１番目の非周期的なＣＳＩ−ＲＳリソースを報告する必要があると仮定する。
【００９９】
この場合、ｋｓ＝ｋ２＝１となり、報告される必要のあるＣＲＩは以下の式に従って計算されてもよい。
【数３】
2021507573.tif 000008
【０１００】
基地局は、該ＣＲＩを受信した後に、上記の式に従って、ＵＥによりフィードバックされた具体的な非周期的なＣＳＩ−ＲＳリソースセットにおけるリソースを算出する。
【０１０１】
本実施例では、新しいＲＲＣシグナリングを追加する必要がなく、既存のプロトコルで規定された１つのトリガー状態が１つのリソース構成の１つのリソースセットをアクティブ化することを、１つのトリガー状態が１つのリソース構成における複数のリソースセットを同時にアクティブ化することに更新し、ＵＥの測定及び報告の動作を制約する必要がある。
【０１０２】
本実施例によれば、ネットワーク装置が端末装置に構成情報を送信し、該構成情報は、複数の基準信号リソースセットにおける基準信号リソースを用いて複数の時間間隔で基準信号を送信するための時間領域位置情報を含む。これによって、同一のトリガー状態において同一のキャリア周波数についてトリガーされた基準信号リソースが複数の時間間隔を占有する場合であっても、ネットワーク装置はトリガーシグナリングを用いて情報報告を正確に指示することができ、端末装置はトリガーシグナリングを正しく解釈することができる。
【０１０３】
＜実施例３＞
本発明の実施例は、シグナリング指示装置を提供する。該装置は、例えばネットワーク装置であってもよいし、ネットワーク装置に構成された部材又は構成部であってもよい。本実施例３の実施例１と同様な内容について、その説明を省略する。
【０１０４】
図９は本発明の実施例のシグナリング指示装置の概略図である。図９に示すように、シグナリング指示装置９００は、構成送信部９０１及びシグナリング送信部９０２を含む。
【０１０５】
構成送信部９０１は、端末装置に構成情報を送信する。該構成情報は、基準信号リソースセットにおける基準信号リソースを用いて複数の時間間隔で基準信号を送信するための時間領域位置情報を含む。
【０１０６】
シグナリング送信部９０２は、該端末装置にトリガーシグナリングを送信する。該トリガーシグナリングは、該基準信号リソースを用いて該複数の時間間隔で該基準信号を送信するように指示し、該端末装置がチャネル状態情報を報告するように指示するために用いられる。
【０１０７】
図９に示すように、シグナリング指示装置９００は、信号送信部９０３をさらに含んでもよい。
【０１０８】
信号送信部９０３は、該基準信号リソースを用いて該複数の時間間隔で該基準信号を送信する。
【０１０９】
図９に示すように、シグナリング指示装置９００は、情報受信部９０４及びインジケータ決定部９０５をさらに含んでもよい。
【０１１０】
情報受信部９０４は、該端末装置からのチャネル状態情報を受信する。
【０１１１】
インジケータ決定部９０５は、該チャネル状態情報に基づいて、該端末装置により報告された基準信号リソースインジケータ又はビームインジケータを決定する。
【０１１２】
本発明の実施例は、シグナリング受信装置をさらに提供する。該装置は、例えば端末装置であってもよいし、端末装置に構成された部材又は構成部であってもよい。
【０１１３】
図１０は本発明の実施例のシグナリング受信装置の概略図である。図１０に示すように、シグナリング受信装置１０００は、構成受信部１００１及びシグナリング受信部１００２を含む。
【０１１４】
構成受信部１００１は、ネットワーク装置により送信された構成情報を受信する。該構成情報は、基準信号リソースセットにおける基準信号リソースを用いて複数の時間間隔で基準信号を送信するための時間領域位置情報を含む。
【０１１５】
シグナリング受信部１００２は、該ネットワーク装置により送信されたトリガーシグナリングを受信する。該トリガーシグナリングは、該基準信号リソースを用いて該複数の時間間隔で該基準信号を送信するように指示し、該端末装置がチャネル状態情報を報告するように指示するために用いられる。
【０１１６】
図１０に示すように、シグナリング受信装置１０００は、信号受信部１００３をさらに含んでもよい。
【０１１７】
信号受信部１００３は、該ネットワーク装置が該基準信号リソースを用いて該複数の時間間隔で送信された該基準信号を受信する。
【０１１８】
図１０に示すように、シグナリング受信装置１０００は、情報送信部１００４をさらに含んでもよい。
【０１１９】
情報送信部１００４は、該ネットワーク装置にチャネル状態情報を報告する。
【０１２０】
なお、以上は本発明に関連する各部材又はモジュールを説明しているが、本発明はこれに限定されない。シグナリング指示装置９００又はシグナリング受信装置１０００は他の部材又はモジュールをさらに含んでもよく、これらの部材又はモジュールの具体的な内容について、関連技術を参照してもよい。
【０１２１】
また、説明の便宜上、図９又は図１０は各部材又はモジュール間の接続関係又は信号方向のみを例示的に示し、当業者がバスの接続など各種の関連技術を採用してもよい。上記の各部材又はモジュールは、例えばプロセッサ、メモリ、送信機、受信機などのハードウェア設備により実現されてもよく、本発明の実施例はこれに限定されない。
【０１２２】
本実施例によれば、ネットワーク装置が端末装置に構成情報を送信し、該構成情報は、基準信号リソースセットにおける基準信号リソースを用いて複数の時間間隔で基準信号を送信するための時間領域位置情報を含む。これによって、同一のトリガー状態において同一のキャリア周波数についてトリガーされた基準信号リソースが複数の時間間隔を占有する場合であっても、ネットワーク装置はトリガーシグナリングを用いて情報報告を正確に指示することができ、端末装置はトリガーシグナリングを正しく解釈することができる。
【０１２３】
＜実施例４＞
本発明の実施例は、シグナリング指示装置を提供する。該装置は、例えばネットワーク装置であってもよいし、ネットワーク装置に構成された部材又は構成部であってもよい。本実施例４の実施例２と同様な内容について、その説明を省略する。本発明の実施例のシグナリング指示装置の構成は図９を参照してもよい。
【０１２４】
本実施例では、構成送信部９０１は端末装置に複数の基準信号リソースセットの構成情報を送信する。該構成情報は、該複数の基準信号リソースセットにおける基準信号リソースを用いて複数の時間間隔で基準信号を送信するための時間領域位置情報を含む。
【０１２５】
シグナリング送信部９０２は、該端末装置にトリガーシグナリングを送信する。該トリガーシグナリングは、該複数の基準信号リソースセットにおける基準信号リソースを用いて該複数の時間間隔で該基準信号を送信するように指示し、該端末装置がチャネル状態情報を報告するように指示するために用いられる。
【０１２６】
本発明の実施例は、シグナリング受信装置をさらに提供する。該装置は、例えば端末装置であってもよいし、端末装置に構成された部材又は構成部であってもよい。本発明の実施例のシグナリング受信装置の構成は図１０を参照してもよい。
【０１２７】
本実施例では、構成受信部１００１は、ネットワーク装置により送信された複数の基準信号リソースセットの構成情報を受信する。該構成情報は、該複数の基準信号リソースセットにおける基準信号リソースを用いて複数の時間間隔で基準信号を送信するための時間領域位置情報を含む。
【０１２８】
シグナリング受信部１００２は、該ネットワーク装置により送信されたトリガーシグナリングを受信する。該トリガーシグナリングは、該複数の基準信号リソースセットにおける基準信号リソースを用いて該複数の時間間隔で該基準信号を送信するように指示し、該端末装置がチャネル状態情報を報告するように指示するために用いられる。
【０１２９】
本実施例によれば、ネットワーク装置が端末装置に構成情報を送信し、該構成情報は、複数の基準信号リソースセットにおける基準信号リソースを用いて複数の時間間隔で基準信号を送信するための時間領域位置情報を含む。これによって、同一のトリガー状態において同一のキャリア周波数についてトリガーされた基準信号リソースが複数の時間間隔を占有する場合であっても、ネットワーク装置はトリガーシグナリングを用いて情報報告を正確に指示することができ、端末装置はトリガーシグナリングを正しく解釈することができる。
【０１３０】
＜実施例５＞
本発明の実施例は通信システムをさらに提供し、図１を参照してもよく、実施例１乃至４と同様な内容についてその説明を省略する。本実施例では、通信システム１００は、ネットワーク装置１０１及び端末装置１０２を含んでもよい。
【０１３１】
ネットワーク装置１０１には、実施例３又は４に記載のシグナリング指示装置９００が構成されている。
【０１３２】
端末装置１０２には、実施例３又は４に記載のシグナリング受信装置１０００が構成されている。
【０１３３】
本発明の実施例はネットワーク装置をさらに提供する。該ネットワーク装置は基地局であってもよいが、本発明はこれに限定されず、他のネットワーク装置であってもよい。
【０１３４】
図１１は本発明の実施例のネットワーク装置の構成の概略図である。図１１に示すように、ネットワーク装置１１００は、プロセッサ１１１０（例えば中央処理装置（ＣＰＵ））１３０１及びメモリ１１２０を含んでもよく、メモリ１１２０はプロセッサ１１１０に接続される。メモリ１１２０は、各種のデータを記憶してもよいし、情報処理のプログラム１１３０をさらに記憶し、プロセッサ１１１０の制御で該プログラム１１３０を実行する。
【０１３５】
例えば、プロセッサ１１１０は、プログラム１１３０を実行し、実施例１に記載されたシグナリング指示方法を実現してもよい。例えば、プロセッサ１１１０は、端末装置に構成情報を送信するステップであって、該構成情報は、基準信号リソースセットにおける基準信号リソースを用いて複数の時間間隔で基準信号を送信するための時間領域位置情報を含む、ステップと、該端末装置にトリガーシグナリングを送信するステップであって、該トリガーシグナリングは、該基準信号リソースを用いて該複数の時間間隔で該基準信号を送信するように指示し、該端末装置がチャネル状態情報を報告するように指示するために用いられる、ステップと、を実行するように構成されてもよい。
【０１３６】
１つの態様では、該時間領域位置情報は、少なくとも、該基準信号リソースセットにおける基準信号リソースを用いて該基準信号を送信するための時間間隔の、該トリガーシグナリングの所在する時間間隔に対する時間軸におけるオフセットを含み、該オフセットは、該複数の時間間隔のうちの１番目の時間間隔の時間領域位置を示すために用いられる。
【０１３７】
１つの態様では、該基準信号リソースは、非周期的なチャネル状態情報基準信号リソースであり、該基準信号は、非周期的なチャネル状態情報基準信号であり、該時間間隔は、スロット、フレーム及びサブフレームの少なくとも１つを含み、該構成情報は、１つ又は複数の無線リソース制御メッセージにより搬送される。
【０１３８】
１つの態様では、該構成情報は、第１フィールドを含み、該第１フィールドは、該基準信号を送信するための該基準信号リソースセットにおける基準信号リソースの該複数の時間間隔における時間領域位置を示す。
【０１３９】
１つの態様では、該第１フィールドは、Ｎ個のパラメータを含み、該Ｎ個のパラメータのうちの１つのパラメータは、該複数の時間間隔のうちの１つの時間間隔に対応し、Ｎは該複数の時間間隔の数である。
【０１４０】
１つの態様では、該Ｎ個のパラメータのうちの１つのパラメータは、該１つの時間間隔において用いられる該基準信号リソースの数を示すために用いられる。
【０１４１】
１つの態様では、該Ｎ個のパラメータのうちの１つのパラメータは、該１つの時間間隔において用いられる１番目の基準信号リソースの該基準信号リソースセットにおけるインデックスを示すために用いられる。
【０１４２】
１つの態様では、該構成情報は、第２フィールドをさらに含み、該第２フィールドは、該基準信号リソースセットを構成するために用いられ、該インデックスは、該１番目の基準信号リソースの該第２フィールドにおける構成順序により決定される。
【０１４３】
１つの態様では、該第１フィールドは、パラメータＭを含み、該パラメータＭは、該オフセットにより示される時間間隔から始まる連続的なＭ個の時間間隔において該基準信号リソースセットにおける１つ又は複数の基準信号リソースが該基準信号を送信するために用いられることを表す。
【０１４４】
１つの態様では、該構成情報は、該基準信号を送信するための時間間隔を示すビットマップを含み、該ビットマップは、Ｓ個のビットを含み、該Ｓ個のビットは、該トリガーシグナリングの所在する時間間隔から始まる連続的なＳ個の時間間隔に対応し、該Ｓ個のビットのうちのビットは、対応する時間間隔において該基準信号リソースセットにおける１つ又は複数の基準信号リソースを用いて該基準信号を送信し、或いは送信しないことを示すために用いられる。
【０１４５】
１つの態様では、プロセッサ１１１０は、該端末装置からのチャネル状態情報を受信するステップと、該チャネル状態情報に基づいて、該端末装置により報告された基準信号リソースインジケータ又はビームインジケータを決定するステップと、をさらに実行するように構成されてもよい。
【０１４６】
１つの態様では、該基準信号リソースインジケータは、基準信号リソースを示すために用いられ、該基準信号リソースインジケータは、該基準信号リソースのインデックスであり、該基準信号リソースのインデックスは、該基準信号リソースの所在する基準信号リソースセットにおけるインデックスであり、或いは、該基準信号リソースの該基準信号の所在するリソースにおけるインデックスである。
【０１４７】
１つの態様では、前記基準信号リソースのインデックスは、
【数４】
2021507573.tif 000009
【０１４８】
により計算され、ｋは該基準信号リソースの該基準信号リソースセットにおけるインデックスを表し、Ｋは該基準信号リソースセットに含まれる基準信号リソースの数を表し、ｐ＝［Ｉｓｌｏｔ−（ｌ＋Ｘ）］となり、Ｉｓｌｏｔは該基準信号リソースの所在する時間間隔のインデックスを表し、Ｘは該オフセットを表し、ｌは該トリガーシグナリングの所在する時間間隔のインデックスを表し、或いは、該端末装置により報告される必要のある該基準信号リソースがビットマップで１に設定されたｐ＋１番目のビットに対応する時間間隔において用いられ、或いは、該端末装置により報告される必要のある該基準信号リソースがビットマップで０に設定されたｐ＋１番目のビットに対応する時間間隔において用いられる。
【０１４９】
また、例えば、プロセッサ１１１０は、プログラム１１３０を実行し、実施例２に記載されたシグナリング指示方法を実現してもよい。例えば、プロセッサ１１１０は、端末装置に複数の基準信号リソースセットの構成情報を送信するステップであって、該構成情報は、該複数の基準信号リソースセットにおける基準信号リソースを用いて複数の時間間隔で基準信号を送信するための時間領域位置情報を含む、ステップと、該端末装置にトリガーシグナリングを送信するステップであって、該トリガーシグナリングは、該複数の基準信号リソースセットにおける基準信号リソースを用いて該複数の時間間隔で該基準信号を送信するように指示し、該端末装置がチャネル状態情報を報告するように指示するために用いられる、ステップと、を実行するように構成されてもよい。
【０１５０】
１つの態様では、該時間領域位置情報は、少なくとも、該基準信号リソースセットにおける基準信号リソースを用いて該基準信号を送信するための時間間隔の、該トリガーシグナリングの所在する時間間隔に対する時間軸におけるオフセットを含み、該複数の基準信号リソースセットのオフセットは異なる。
【０１５１】
１つの態様では、該基準信号リソースは、非周期的なチャネル状態情報基準信号リソースであり、該基準信号は、非周期的なチャネル状態情報基準信号であり、該時間間隔は、スロット、フレーム及びサブフレームの少なくとも１つを含む。
【０１５２】
１つの態様では、プロセッサ１１１０は、該端末装置からのチャネル状態情報を受信するステップと、該チャネル状態情報に基づいて、該端末装置により報告された基準信号リソースインジケータ又はビームインジケータを決定するステップと、をさらに実行するように構成されてもよい。
【０１５３】
１つの態様では、該基準信号リソースインジケータは、基準信号リソースを示すために用いられ、該基準信号リソースインジケータは、該基準信号リソースのインデックスであり、該基準信号リソースのインデックスは、該基準信号リソースの所在する基準信号リソースセットにおけるインデックスであり、或いは、該基準信号リソースの該基準信号の所在するリソースにおけるインデックスである。
【０１５４】
１つの態様では、該基準信号リソースのインデックスは、
【数５】
2021507573.tif 000010
【０１５５】
により計算され、ｋｓは該複数の基準信号リソースセットのうちの基準信号リソースセットｓに構成された該基準信号リソースのインデックスを表し、
（外４）
2021507573.tif 000011
となり、Ｋｉは該複数の基準信号リソースセットのうちの基準信号リソースセットｉに含まれる該基準信号リソースの数を表す。
【０１５６】
また、図１１に示すように、ネットワーク装置１１００は、送受信機１１４０及びアンテナ１１５０などをさらに含んでもよい。上記部材の機能は従来技術と類似し、ここでその説明を省略する。なお、ネットワーク装置１１００は図１１に示す全てのユニットを含む必要がない。また、ネットワーク装置１１００は、図１１に示されていないユニットをさらに含んでもよく、従来技術を参照してもよい。
【０１５７】
本発明の実施例は端末装置をさらに提供する。なお、本発明はこれに限定されず、他の装置であってもよい。
【０１５８】
図１２は本発明の実施例の端末装置の概略図である。図１２に示すように、該端末装置１２００は、プロセッサ１２１０及びメモリ１２２０を含んでもよく、メモリ１２２０はプロセッサ１２１０に接続される。なお、該図は単なる例示的なものであり、電気通信機能又は他の機能を実現するように、他の種類の構成を用いて、該構成を補充又は代替してもよい。
【０１５９】
例えば、プロセッサ１２１０は、プログラムを実行して実施例１に記載されたシグナリング受信方法を実現するように構成されてもよい。例えば、プロセッサ１２１０は、ネットワーク装置により送信された構成情報を受信するステップであって、該構成情報は、基準信号リソースセットにおける基準信号リソースを用いて複数の時間間隔で基準信号を送信するための時間領域位置情報を含む、ステップと、該ネットワーク装置により送信されたトリガーシグナリングを受信するステップであって、該トリガーシグナリングは、該基準信号リソースを用いて該複数の時間間隔で該基準信号を送信するように指示し、端末装置がチャネル状態情報を報告するように指示するために用いられる、ステップと、を実行するように構成されてもよい。
【０１６０】
例えば、プロセッサ１２１０は、プログラムを実行して実施例２に記載されたシグナリング受信方法を実現するように構成されてもよい。例えば、プロセッサ１２１０は、ネットワーク装置により送信された複数の基準信号リソースセットの構成情報を受信するステップであって、該構成情報は、該複数の基準信号リソースセットにおける基準信号リソースを用いて複数の時間間隔で基準信号を送信するための時間領域位置情報を含む、ステップと、該ネットワーク装置により送信されたトリガーシグナリングを受信するステップであって、該トリガーシグナリングは、該複数の基準信号リソースセットにおける基準信号リソースを用いて該複数の時間間隔で該基準信号を送信するように指示し、端末装置がチャネル状態情報を報告するように指示するために用いられる、ステップと、を実行するように構成されてもよい。
【０１６１】
また、図１２に示すように、該端末装置１２００は、通信モジュール１２３０、入力部１２４０、ディスプレイ１２５０、電源１２６０をさらに含んでもよい。ここで、上記部材の機能は従来技術と同様であり、ここでその説明を省略する。なお、端末装置１２００は図１２に示す全てのユニットを含む必要がない。また、端末装置１２００は、図１２に示されていないユニットをさらに含んでもよく、従来技術を参照してもよい。
【０１６２】
本発明の実施例では、コンピュータ読み取り可能なプログラムであって、ネットワーク装置において該プログラムを実行する際に、コンピュータに該ネットワーク装置において上記の実施例１又は２に記載のシグナリング指示方法を実行させる、プログラムをさらに提供する。
【０１６３】
本発明の実施例では、コンピュータ読み取り可能なプログラムが記憶されている記憶媒体であって、該プログラムを実行する際に、コンピュータにネットワーク装置において実施例１又は２に記載のシグナリング指示方法を実行させる、記憶媒体をさらに提供する。
【０１６４】
本発明の実施例では、コンピュータ読み取り可能なプログラムであって、端末装置において該プログラムを実行する際に、コンピュータに該端末装置において実施例１又は２に記載のシグナリング受信方法を実行させる、プログラムをさらに提供する。
【０１６５】
本発明の実施例では、コンピュータ読み取り可能なプログラムが記憶されている記憶媒体であって、該プログラムを実行する際に、コンピュータに端末装置において実施例１又は２に記載のシグナリング受信方法を実行させる、記憶媒体をさらに提供する。
【０１６６】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１６７】
本発明の実施例を参照しながら説明した各装置における各処理方法は、ハードウェア、プロセッサにより実行されるソフトウェアモジュール、又は両者の組み合わせで実施されてもよい。例えば、図面に示す機能的ブロック図における１つ若しくは複数、又は機能的ブロック図の１つ若しくは複数の組み合わせ（例えば受信部、決定部、送信部など）は、コンピュータプログラムフローの各ソフトウェアモジュールに対応してもよいし、各ハードウェアモジュールに対応してもよい。これらのソフトウェアモジュールは、図面に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１６８】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１６９】
図面に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１７０】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０１７１】
また、上述の実施例を含む実施形態に関し、更に以下の付記を開示する。
（付記１）
シグナリング受信装置であって、
ネットワーク装置により送信された構成情報を受信する構成受信部であって、前記構成情報は、基準信号リソースセットにおける基準信号リソースを用いて複数の時間間隔で基準信号を送信するための時間領域位置情報を含む、構成受信部と、
前記ネットワーク装置により送信されたトリガーシグナリングを受信するシグナリング受信部であって、前記トリガーシグナリングは、前記基準信号リソースを用いて前記複数の時間間隔で前記基準信号を送信するように指示し、端末装置がチャネル状態情報を報告するように指示するために用いられる、シグナリング受信部と、を含む、装置。
（付記２）
前記時間領域位置情報は、少なくとも、前記基準信号リソースセットにおける基準信号リソースを用いて前記基準信号を送信するための時間間隔の、前記トリガーシグナリングの所在する時間間隔に対する時間軸におけるオフセットを含み、
前記オフセットは、前記複数の時間間隔のうちの１番目の時間間隔の時間領域位置を示すために用いられる、付記１に記載の装置。
（付記３）
前記基準信号リソースは、非周期的なチャネル状態情報基準信号リソースであり、前記基準信号は、非周期的なチャネル状態情報基準信号であり、前記時間間隔は、スロット、フレーム及びサブフレームの少なくとも１つを含み、
前記構成情報は、１つ又は複数の無線リソース制御メッセージにより搬送される、付記１に記載の装置。
（付記４）
前記構成情報は、第１フィールドを含み、前記第１フィールドは、前記基準信号を送信するための前記基準信号リソースセットにおける基準信号リソースの前記複数の時間間隔における時間領域位置を示す、付記２に記載の装置。
（付記５）
前記第１フィールドは、Ｎ個のパラメータを含み、前記Ｎ個のパラメータのうちの１つのパラメータは、前記複数の時間間隔のうちの１つの時間間隔に対応し、Ｎは前記複数の時間間隔の数である、付記４に記載の装置。
（付記６）
前記Ｎ個のパラメータのうちの１つのパラメータは、前記１つの時間間隔において用いられる前記基準信号リソースの数を示すために用いられる、付記５に記載の装置。
（付記７）
前記Ｎ個のパラメータのうちの１つのパラメータは、前記１つの時間間隔において用いられる１番目の基準信号リソースの前記基準信号リソースセットにおけるインデックスを示すために用いられる、付記５に記載の装置。
（付記８）
前記構成情報は、第２フィールドをさらに含み、前記第２フィールドは、前記基準信号リソースセットを構成するために用いられ、前記インデックスは、前記１番目の基準信号リソースの前記第２フィールドにおける構成順序により決定される、付記７に記載の装置。
（付記９）
前記第１フィールドは、パラメータＭを含み、前記パラメータＭは、前記オフセットにより示される時間間隔から始まる連続的なＭ個の時間間隔において前記基準信号リソースセットにおける１つ又は複数の基準信号リソースが前記基準信号を送信するために用いられることを表す、付記４に記載の装置。
（付記１０）
前記構成情報は、前記基準信号を送信するための時間間隔を示すビットマップを含み、
前記ビットマップは、Ｓ個のビットを含み、前記Ｓ個のビットは、前記トリガーシグナリングの所在する時間間隔から始まる連続的なＳ個の時間間隔に対応し、前記Ｓ個のビットのうちのビットは、対応する時間間隔において前記基準信号リソースセットにおける１つ又は複数の基準信号リソースを用いて前記基準信号を送信し、或いは送信しないことを示すために用いられる、付記１に記載の装置。
（付記１１）
前記ネットワーク装置にチャネル状態情報を送信する情報送信部であって、前記チャネル状態情報は、前記ネットワーク装置が端末装置により報告された基準信号リソースインジケータ又はビームインジケータを決定するために用いられる、情報送信部、をさらに含む、付記１に記載の装置。
（付記１２）
前記基準信号リソースインジケータは、基準信号リソースを示すために用いられ、前記基準信号リソースインジケータは、前記基準信号リソースのインデックスであり、
前記基準信号リソースのインデックスは、前記基準信号リソースの所在する基準信号リソースセットにおけるインデックスであり、或いは、前記基準信号リソースの前記基準信号の所在するリソースにおけるインデックスである、付記１１に記載の装置。
（付記１３）
前記基準信号リソースのインデックスは、
【数６】
2021507573.tif 000012
【０１７２】
により計算され、
ｋは前記基準信号リソースの前記基準信号リソースセットにおけるインデックスを表し、Ｋは前記基準信号リソースセットに含まれる基準信号リソースの数を表し、ｐ＝［Ｉｓｌｏｔ−（ｌ＋Ｘ）］となり、Ｉｓｌｏｔは前記基準信号リソースの所在する時間間隔のインデックスを表し、Ｘは前記オフセットを表し、ｌは前記トリガーシグナリングの所在する時間間隔のインデックスを表す、付記１２に記載の装置。
（付記１４）
前記基準信号リソースのインデックスは、
【数７】
2021507573.tif 000013
【０１７３】
により計算され、
ｋは前記基準信号リソースの前記基準信号リソースセットにおけるインデックスを表し、Ｋは前記基準信号リソースセットに含まれる基準信号リソースの数を表し、
ｐは前記端末装置により報告される必要のある前記基準信号リソースがビットマップで１に設定されたｐ＋１番目のビットに対応する時間間隔において用いられることを表し、或いは、ｐは前記端末装置により報告される必要のある前記基準信号リソースがビットマップで０に設定されたｐ＋１番目のビットに対応する時間間隔において用いられることを表す、付記１２に記載の装置。
（付記１５）
シグナリング受信装置であって、
ネットワーク装置により送信された複数の基準信号リソースセットの構成情報を受信する構成受信部であって、前記構成情報は、前記複数の基準信号リソースセットにおける基準信号リソースを用いて複数の時間間隔で基準信号を送信するための時間領域位置情報を含む、構成受信部と、
前記ネットワーク装置により送信されたトリガーシグナリングを受信するシグナリング受信部であって、前記トリガーシグナリングは、前記複数の基準信号リソースセットにおける基準信号リソースを用いて前記複数の時間間隔で前記基準信号を送信するように指示し、端末装置がチャネル状態情報を報告するように指示するために用いられる、シグナリング受信部と、を含む、装置。
（付記１６）
前記時間領域位置情報は、少なくとも、前記基準信号リソースセットにおける基準信号リソースを用いて前記基準信号を送信するための時間間隔の、前記トリガーシグナリングの所在する時間間隔に対する時間軸におけるオフセットを含み、
前記複数の基準信号リソースセットのオフセットは異なる、付記１５に記載の装置。
（付記１７）
前記基準信号リソースは、非周期的なチャネル状態情報基準信号リソースであり、前記基準信号は、非周期的なチャネル状態情報基準信号であり、前記時間間隔は、スロット、フレーム及びサブフレームの少なくとも１つを含む、付記１５に記載の装置。
（付記１８）
前記ネットワーク装置にチャネル状態情報を送信する情報送信部であって、前記チャネル状態情報は、前記ネットワーク装置が前記端末装置により報告された基準信号リソースインジケータ又はビームインジケータを決定するために用いられる、情報送信部、をさらに含む、付記１５に記載の装置。
（付記１９）
前記基準信号リソースインジケータは、基準信号リソースを示すために用いられ、前記基準信号リソースインジケータは、前記基準信号リソースのインデックスであり、
前記基準信号リソースのインデックスは、前記基準信号リソースの所在する基準信号リソースセットにおけるインデックスであり、或いは、前記基準信号リソースの前記基準信号の所在するリソースにおけるインデックスである、付記１８に記載の装置。
（付記２０）
前記基準信号リソースのインデックスは、
【数８】
2021507573.tif 000014
【０１７４】
により計算され、
ｋｓは前記複数の基準信号リソースセットのうちの基準信号リソースセットｓに構成された前記基準信号リソースのインデックスを表し、
（外５）
2021507573.tif 000015
となり、Ｋｉは前記複数の基準信号リソースセットのうちの基準信号リソースセットｉに含まれる前記基準信号リソースの数を表す、付記１９に記載の装置。
【図１】
2021507573.tif 000019
【図２】
2021507573.tif 000020
【図３】
2021507573.tif 000021
【図４】
2021507573.tif 000022
【図５】
2021507573.tif 000023
【図６】
2021507573.tif 000024
【図７】
2021507573.tif 000025
【図８】
2021507573.tif 000026
【図９】
2021507573.tif 000027
【図１０】
2021507573.tif 000028
【図１１】
2021507573.tif 000029
【図１２】
2021507573.tif 000030
【国際調査報告】
2021507573.tif 000031
2021507573.tif 000032
2021507573.tif 000033
2021507573.tif 000034